(57)【要約】【課題】本考案は、受話器がスタンド内に差し込み可能に収容され、また、イヤホンも受話器内或いはスタンド内に差し込み可能に収容されるような電話通信ユニットを提供することを目的とする。【解決手段】スタンド、受話器及びコードレスイヤホンを備える。使用者は通信のニーズに応じて、通信方式を任意的に選択できる。ここで、通信方式はコードレスイヤホンを用いる通信や、受話器を用いる通信およびスタンドを用いる通信などの様々な通信選択が含まれる。【選択図】図３
0003135610.tif 000002
【実用新案登録請求の範囲】
【請求項１】
内部に電話サービスを提供するスタンド制御回路が設置され、外部に前記スタンド制御回路に電気的に接続される第１接続端を備える受話器収容槽が設置されるスタンドと、
内部に受話器制御回路が設置され、外部に第２接続端を備えるイヤホン収容槽と第１信号転送端とが設置され、前記第１信号転送端及び第２接続端が前記受話器制御回路に電気的に接続されると共に、前記第１信号転送端は受話器が前記受話器収容槽内に収容される際に前記第１接続端に電気的に接続される受話器と、
内部にイヤホン回路が設置され、外部に前記イヤホン回路に電気的に接続される第２信号転送端が設置され、前記第２信号転送端は前記イヤホン収容槽内に収容される際に前記第２接続端に電気的に接続されるコードレスイヤホンとを備えることを特徴とする電話通信ユニット。
【請求項２】
前記第１接続端と前記第１信号転送端、及び／または前記第２接続端と前記第２信号転送端は、ＵＳＢにより接続されることを特徴とする請求項１記載の電話通信ユニット。
【請求項３】
前記第１接続端と前記第１信号転送端、及び／または前記第２接続端と前記第２信号転送端は、金属パッドを介して接続されることを特徴とする請求項１記載の電話通信ユニット。
【請求項４】
前記コードレスイヤホンには、さらに、吸着可能部材が設けられ、
前記イヤホン収容槽内にさらに磁気素子が設けられ、
前記コードレスイヤホンが前記イヤホン収容槽に近づく際に前記磁気素子により前記コードレスイヤホンの吸着可能部材が引き付けられることを特徴とする請求項１記載の電話通信ユニット。
【請求項５】
前記受話器上には前記コードレスイヤホンを前記イヤホン収容槽内に係止させる係止手段がさらに設けられることを特徴とする請求項１記載の電話通信ユニット。
【請求項６】
内部に電話サービスを提供するスタンド制御回路が設置され、外部に前記スタンド制御回路に電気的に接続される聞き受けスイッチを備える受話器収容槽が設置されるスタンドと、
内部に受話器制御回路が設置され、外部に前記受話器制御回路に接続される接続端を備えるイヤホン収容槽が設置され、また通信接続線を介して前記スタンドに接続される受話器と、
内部にイヤホン回路が設置され、外部に前記イヤホン回路に電気的に接続される信号転送端が設置され、また前記イヤホン収容槽内に収容される際に、前記信号転送端が前記イヤホン収容槽内の接続端に電気的に接続されるコードレスイヤホンとを備えることを特徴とする電話通信ユニット。
【請求項７】
前記接続端と前記信号転送端とは、ＵＳＢにより接続されることを特徴とする請求項６記載の電話通信ユニット。
【請求項８】
前記接続端と前記信号転送端とは、金属パッドを介して接続されることを特徴とする請求項６記載の電話通信ユニット。
【請求項９】
前記コードレスイヤホンには、さらに吸着可能部材が設けられ、
前記イヤホン収容槽内には、さらに磁気素子が設けられ、
前記コードレスイヤホンが前記イヤホン収容槽に近づく際に前記磁気素子により前記コードレスイヤホンの吸着可能部材が引き付けられることを特徴とする請求項６記載の電話通信ユニット。
【請求項１０】
前記受話器上には前記コードレスイヤホンを前記イヤホン収容槽内に係止させる係止手段がさらに設けられることを特徴とする請求項６記載の電話通信ユニット。
【請求項１１】
内部に電話サービスを提供するスタンド制御回路が設置され、外部に前記スタンド制御回路に接続される接続端を備えるイヤホン収容槽が設置されるスタンドと、
内部にイヤホン回路が設置され、外部に前記イヤホン回路に電気的に接続される信号転送端が設置され、また前記イヤホン収容槽内に収容される際に、前記信号転送端が前記イヤホン収容槽内の接続端に電気的に接続されるコードレスイヤホンとを備えることを特徴とする電話通信ユニット。
【請求項１２】
前記接続端と前記信号転送端とは、ＵＳＢにより接続されることを特徴とする請求項１１記載の電話通信ユニット。
【請求項１３】
前記接続端と前記信号転送端とは、金属パッドを介して接続されることを特徴とする請求項１１記載の電話通信ユニット。
【請求項１４】
前記コードレスイヤホンには、さらに、吸着可能部材が設けられ、
前記イヤホン収容槽内にさらに磁気素子が設けられ、
前記コードレスイヤホンが前記イヤホン収容槽に近づく際に前記磁気素子により前記コードレスイヤホンの吸着可能部材が引き付けられることを特徴とする請求項１１記載の電話通信ユニット。
【請求項１５】
前記受話器上には前記コードレスイヤホンを前記イヤホン収容槽内に係止させる係止手段がさらに設けられることを特徴とする請求項１１記載の電話通信ユニット。
【考案の詳細な説明】
【技術分野】
【０００１】
本考案は、電話通信ユニットに係り、特に、スタンドに受話器が収容でき、かつ受話器にはコードレスイヤホンが収容できる電話通信ユニットに関するものである。
【背景技術】
【０００２】
図１は、一般的な従来の電話機を示す図である。図１を参照すると、従来早期の電話機２は、ダイヤル本機２０と受話器２２の間に通信接続線２４を有する装置であって、転送回線２６で公衆交換電話網（ＰＳＴＮ）７に接続される。使用者はダイヤル本機２０上の押しボタン２８でダイヤルし、公衆交換電話網７を介して遠隔の連絡者に連線し、受話器２２を用いて連絡者と通話できる。
【０００３】
しかしながら、無線通信技術の発達により、従来、通信接続線２４を介して受話器２２に接続するダイヤル本機２０である従来の装置は改良され、図２に示すように、無線通信機能のあるコードレスダイヤル電話機２’になり、また、同様に無線通信機能のあるスタンド２０’が搭載され、コードレスダイヤル電話機２’とスタンド２０’の間で無線で接続される。上記スタンド２０’はさらに、公衆交換電話網７に接続し、所定の空間において距離に制限されず通話することを実現できる。
【０００４】
同時に、人々の生活では、ブルートゥース通信技術も、あらゆるパーソナル携帯通信機器、例えば、ブルートゥースイヤホン及びブルートゥース携帯電話等に広く適用され、使用者は、様々な場所において電話をする際、ハンズフリー効果を得ることが出来る。
尚、従来のブルートゥースイヤホンとブルートゥース携帯電話端末については、特許文献１に記載されている。
【０００５】
以上のように、人々の生活における電話通信の利便性は徐々に向上してきた。
しかしながら、一般的な従来の電話機は転送回線２６に制限され、コードレスダイヤル電話機２’は無線機能を有するが、使用者は長時間の間、電話機を持つことで腕の疲れや痛みが生じ、この問題は、人々の生活または仕事上の通話品質及び通話に対し大きく影響する。このため、使用者が一般的な従来の電話機を使用する時にハンズフリー効果を達成できる技術を提供する必要がある。
【特許文献１】特開２００７−１０４１２２号公報
【考案の開示】
【考案が解決しようとする課題】
【０００６】
本考案は、前記したような事情の下になされたものであり、装置上に受話器、スタンド及びイヤホンが組み合わせられ、受話器がスタンド内に差し込み可能に収容され、また、イヤホンも受話器内に差し込み可能に収容される電話通信ユニットを提供することを目的とする。
また、使用者が通信のニーズに応じて通信方式（ここで、イヤホンを用いる通信や、受話器を用いる通信およびスタンドを用いる通信などを含む）を任意に選択できるように、スタンド内にもイヤホンが収容できる電話通信ユニットを提供することを目的とする。
【課題を解決するための手段】
【０００７】
前記した課題を解決するため、本考案の第１の実施形態による電話通信ユニットは、スタンド、受話器及びコードレスイヤホンを含む。スタンド内に電話サービスを提供するスタンド制御回路が設置され、外部に受話器収容槽が設置され、またスタンド制御回路に電気的に接続されるように、前記受話器収容槽内に第１接続端が設置される。
受話器内には受話器制御回路が設置され、外部にイヤホン収容槽及び第１信号転送端が設置され、前記イヤホン収容槽内に第２接続端が設置され、また第１信号転送端及び第２接続端が受話器制御回路に電気的に接続されるとともに、第１信号転送端は受話器が受話器収容槽内に収容される際に第１接続端に電気的に接続される。コードレスイヤホン内にイヤホン回路が設置され、外部に第２信号転送端が設置され、第２信号転送端がイヤホン回路に電気的に接続され、コードレスイヤホンがイヤホン収容槽内に収容される際に第２接続端に電気的に接続される。
【０００８】
また、本考案の第２の実施形態による電話通信ユニットは、スタンド、受話器及びコードレスイヤホンを含む。スタンド内に電話サービスを提供するスタンド制御回路が設置され、外部に受話器収容槽が設置され、この受話器収容槽内に聞き受けスイッチが設置され、また該聞き受けスイッチが該スタンド制御回路に電気的に接続される。この受話器は通信接続線を介してこのスタンドに接続され、この受話器内に受話器制御回路が設置され、外部にイヤホン収容槽が設置され、このイヤホン収容槽内に接続端が設置され、この接続端が受話器制御回路に接続される。コードレスイヤホン内にイヤホン回路が設置され、外部に信号転送端が設置され、この信号転送端がイヤホン回路に電気的に接続され、コードレスイヤホンがイヤホン収容槽内に収容される際にイヤホン収容槽内の該接続端に電気的に接続される。
【０００９】
本考案の第３の実施形態による電話通信ユニットは、スタンド及びコードレスイヤホンを含む。スタンド内に電話サービスを提供するスタンド制御回路が設置され、外部にイヤホン収容槽が設置され、このイヤホン収容槽内に接続端が設置され、この接続端がスタンド制御回路に接続される。コードレスイヤホン内にイヤホン回路が設置され、外部に信号転送端が設置され、この信号転送端がこのイヤホン回路に電気的に接続され、このコードレスイヤホンがイヤホン収容槽内に収容される際にイヤホン収容槽内の該接続端に電気的に接続される。
【００１０】
このように、前記本考案に係る電話通信ユニットにより、使用者が一般的な従来の電話機を使用する際、腕の疲れや痛み及び不便性を有効に解決することができる。
【００１１】
以下、本考案に係る詳しい説明及び添付図面を参照することにより、本考案に係る特徴および技術内容のより深い理解を得られるが、それらの添付図面が参考及び説明のみに使われ、本考案の主張範囲を狭義的に限定するものではないことは言うまでもないことである。
【考案の効果】
【００１２】
装置上に受話器、スタンド及びイヤホンが組み合わせられ、受話器がスタンド内に差し込み可能に収容され、また、イヤホンも受話器内に差し込み可能に収容される電話通信ユニットを得ることが出来る。
また、使用者が通信のニーズに応じて通信方式（ここで、イヤホンを用いる通信や、受話器を用いる通信およびスタンドを用いる通信などを含む）を任意に選択できるように、スタンド内にもイヤホンが収容できる電話通信ユニットを得ることが出来る。
【考案を実施するための最良の形態】
【００１３】
図３は、本考案の電話通信ユニットに係る第１の実施形態であって、その電話通信ユニットの外観を示す参考図である。本考案に係る電話通信ユニットは、主に、スタンド１０、受話器９及びコードレスイヤホン５を備えている。
【００１４】
また、スタンド１０の内部に電話サービスを提供するスタンド制御回路（図示せず）が設置され、外部に受話器収容槽１０２が設置され、受話器収容槽１０２内に第１接続端１０４が設置され、第１接続端１０４がスタンド１０内部の制御回路に電気的に接続される。
また、受話器９の内部に受話器制御回路（図示せず）が設置され、外部にイヤホン収容槽９０及び第１信号転送端９２が設置される。このイヤホン収容槽９０内に第２接続端９０２が設置され、また、第１信号転送端９２及び第２接続端９０２が受話器９の制御回路に電気的に接続される。また、第１信号転送端９２は受話器９がスタンド１０の受話器収容槽１０２内に収容される際に、スタンド内の制御回路に接続されるように、第１接続端１０４に電気的に接続される。コードレスイヤホン５の内部にイヤホン回路（図示せず）が設置され、外部に第２信号転送端５０が設置される。第２信号転送端５０は、コードレスイヤホン５内部のイヤホン回路に電気的に接続され、コードレスイヤホン５が受話器９のイヤホン収容槽９０内に収容される際に、受話器９の制御回路に接続するように、第２接続端９０２に電気的に接続される。
【００１５】
さらに図３を参照すると、本考案のスタンド１０はケーブルで公衆交換電話網（ＰＳＴＮ）７に接続し、公衆交換電話網（ＰＳＴＮ）７を介して遠隔通信している。コードレスイヤホン５が収容される受話器９がスタンド１０内に収容されると、使用者は、スタンド１０でオンフックダイヤル方式により遠隔通信を行うことができる。使用者は、スタンド１０上から受話器９を取り出し、手持ち方式で遠隔とシークレットな通信を行うこともできる。また、使用者は、さらに受話器９上からコードレスイヤホン５を取り出し、ハンズフリー方式で遠隔とシークレットな通信を行うこともできる。
前記のように、受話器９がスタンド１０上から離れると、両者はブルートゥース通信技術で無線通信し、同様にコードレスイヤホン５が受話器９上から離れると、両者ともブルートゥース通信技術で無線通信する。
【００１６】
さらに図３を参照すると、本考案に係る第１の実施形態のコードレスイヤホン５と受話器９との速やかな接続を強化させるため、本考案にはさらに、コードレスイヤホン５上に吸着可能部材５２が設けられ、受話器９のイヤホン収容槽９０内に磁気素子９０４が設けられる。このような磁気吸着の設計は、コードレスイヤホン５が受話器９のイヤホン収容槽９０に近づく際に磁気素子９０４に磁気吸着効果を発生させ、コードレスイヤホン５の吸着可能部材５２を引き付け、コードレスイヤホン５をイヤホン収容槽９０内に速やかに収容させるとともに、コードレスイヤホン５の信号転送端５０を受話器９の第２接続端９０２に電気的に接続させることができる。
【００１７】
さらに図３を参照すると、受話器９の第１信号転送端９２及びスタンド１０の第１接続端１０４は、ＵＳＢで電気的に接続するか、或いは金属パッド方式で電気的に接続する。
同様に、コードレスイヤホン５の第２信号転送端５０及び受話器９の第２接続端９０２は、ＵＳＢで電気的に接続するか、或いは金属パッド方式で電気的に接続する。
また、受話器９上にはさらに係止手段９４が設けられ、係止手段９４は、使用者がコードレスイヤホン５を受話器９のイヤホン収容槽９０内に選択的に係止させるような機能を与え、児童がコードレスイヤホン５を取り出してコードレスイヤホン５を誤食してしまう危険性を防止できる。
【００１８】
図４は、本考案に係る電話通信ユニットの第２の実施形態の外観を示す参考図である。本考案の電話通信ユニットは、主に、スタンド３、受話器３２及びコードレスイヤホン４を備える。スタンド３の内部には電話サービスを提供するスタンド制御回路（図示せず）が設置され、外部に受話器収容槽３０が設置され、該受話器収容槽３０内に聞き受けスイッチ（図示せず）が設置され、また該聞き受けスイッチが該スタンド制御回路に電気的に接続される。
受話器３２は通信接続線３４を介してスタンド３に接続され、受話器３２内に受話器制御回路が設置され（図示せず）、その外部にイヤホン収容槽３２０が設置され、このイヤホン収容槽３２０内に接続端３２０２が設置され、この接続端３２０２が受話器制御回路に接続される。
また、コードレスイヤホン４内にイヤホン回路（図示せず）が設置され、外部に信号転送端４０が設置され、この信号転送端４０は、イヤホン回路に電気的に接続され、コードレスイヤホン４がイヤホン収容槽３２０内に収容される際にイヤホン収容槽３２０内の該接続端に電気的に接続される。
【００１９】
さらに図４を参照すると、スタンド３はケーブルで公衆交換電話網（ＰＳＴＮ）７に接続し、公衆交換電話網（ＰＳＴＮ）７を介して遠隔通信している。使用者は、受話器３２を手で持ち遠隔通信を行うことができ、さらにコードレスイヤホン４を取り出し、ハンズフリー方式で遠隔通信を行うこともできる。
使用者は受話器３２を手で持ち遠隔通信を行うと、聞き受けスイッチが作動し、音声信号の転送経路は、遠隔、公衆交換電話網（ＰＳＴＮ）７、スタンド３のスタンド制御回路、通信接続線３４から受話器３２の受話器制御回路までに双方向通話を形成する。使用者は受話器３２内からコードレスイヤホン４を取り出し、ハンズフリー方式で遠隔と通信を行うと、受話器３２内の受話器制御回路はスタンド３のスタンド制御回路に知らせて、コードレスイヤホン４のイヤホン回路と無線通信を形成する。この際、音声転送経路は、遠隔、公衆交換電話網（ＰＳＴＮ）７、スタンド３のスタンド制御回路からコードレスイヤホン４のイヤホン回路まで双方向通話を形成する。
【００２０】
さらに図４を参照すると、本考案に係る第２の実施形態のコードレスイヤホン４と受話器３２とを速やかに接続するように強化させるため、本考案にはさらに、コードレスイヤホン４上に吸着可能部材４２が設けられ、受話器３２のイヤホン収容槽３２０内に磁気素子３２０４が設けられる。このような磁気吸着の設計は、コードレスイヤホン４が受話器３２のイヤホン収容槽３２０に近づく際に磁気素子３２０４に磁気吸着効果を発生させ、コードレスイヤホン４の吸着可能部材３２０４を引き付け、コードレスイヤホン４をイヤホン収容槽３２０内に速やかに収容させるとともに、コードレスイヤホン４の信号転送端４０を受話器３２の接続端３２０２に電気的に接続させることができる。
【００２１】
さらに図４を参照すると、コードレスイヤホン４の信号転送端４０及び受話器３２の接続端３２０２は、ＵＳＢで電気的に接続するか或いは金属パッド方式で電気的に接続する。また、受話器３２上にはさらに係止手段３２４が設けられ、係止手段３２４は、使用者がコードレスイヤホン４をイヤホン収容槽３２０内に選択的に係止させるような機能を与え、児童がコードレスイヤホン４を取り出してコードレスイヤホン４を誤食してしまう危険性を防止することができる。
【００２２】
図５は、本考案に係る電話通信ユニットの第３の実施形態の外観を示す参考図である。本考案の電話通信ユニットは、主に、スタンド３’及びコードレスイヤホン４’を備える。スタンド３’の内部には、電話サービスを提供するスタンド制御回路（図示せず）が設置され、外部にイヤホン収容槽３２０’が設置され、このイヤホン収容槽３２０’内に接続端３２０２’が設置され、この接続端３２０２’が受話器制御回路に接続される。
また、コードレスイヤホン４’内にイヤホン回路（図示せず）が設置され、外部に信号転送端４０’が設置され、この信号転送端４０’は、このイヤホン回路に電気的に接続され、このコードレスイヤホン４’がイヤホン収容槽３２０’内に収容される際にイヤホン収容槽３２０’内の該接続端３２０２’に電気的に接続される。
【００２３】
さらに図５を参照すると、本考案のスタンド３’はケーブルで公衆交換電話網（ＰＳＴＮ）７に接続し、公衆交換電話網（ＰＳＴＮ）７を介して遠隔通信している。使用者は、コードレスイヤホン４’を取り出し、ハンズフリー方式で遠隔通信を行うことができる。使用者はスタンド３’内からコードレスイヤホン４’を取り出し、ハンズフリー方式で遠隔通信を行うと、スタンド３’のスタンド制御回路は、コードレスイヤホン４’のイヤホン回路と無線通信を形成する。この際、音声転送経路は、遠隔、公衆交換電話網（ＰＳＴＮ）７、スタンド３’のスタンド制御回路からコードレスイヤホン４’のイヤホン回路まで双方向通話を形成する。
【００２４】
さらに図５を参照すると、本考案に係る第３の実施形態のコードレスイヤホン４’とスタンド３’との速やかな接続を強化させるため、本考案にはさらに、コードレスイヤホン４’上に吸着可能部材４２’が設けられ、スタンド３’のイヤホン収容槽３２０’内に磁気素子３２０４’が設けられる。このような磁気吸着の設計は、コードレスイヤホン４’がスタンド３’のイヤホン収容槽３２０’に近づく際に磁気素子３２０４’に磁気吸着効果を発生させ、コードレスイヤホン４’の吸着可能部材３２０４’を引き付け、コードレスイヤホン４’をイヤホン収容槽３２０’内に速やかに収容させるとともに、コードレスイヤホン４’の信号転送端４０‘をスタンド３’の接続端３２０２‘に電気的に接続させることができる。
【００２５】
さらに図５を参照すると、コードレスイヤホン４’の信号転送端４０‘及びスタンド３’の接続端３２０２’は、ＵＳＢで電気的に接続するか、或いは金属パッド方式で電気的に接続する。
また、スタンド３’上にはさらに係止手段３２４’が設けられ、係止手段３２４’は、使用者がコードレスイヤホン４’をイヤホン収容槽３２０’内に選択的に係止させるような機能を与え、児童がコードレスイヤホン４’を取り出してコードレスイヤホン４’を誤食してしまう危険性を防止することができる。
【００２６】
前記のように、本考案の電話通信ユニットは、受話器がスタンド内に差し込み可能に収容されるだけでなく、イヤホンも受話器内に差し込み可能に収容することができる。
このように、使用者は通信のニーズに応じて以下のいずれか一つの通信方式を選択できる。
すなわち、１、スタンドを用いてオンフックダイヤル方式で遠隔通信を行い、２、ハンズフリー方式で遠隔とシークレット通信を行い、２、イヤホンを用いてハンズフリー方式で遠隔とシークレット通信を行うなどで、使用者が一般的な従来の電話機を使用する際に、腕の疲れや痛み及び不便性を有効に解決することができる。
【００２７】
尚、前記第１乃至第３の実施形態は、単に本考案の好ましい具体的な例に過ぎず、本考案の実用新案登録の請求の範囲を限定するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００２８】
【図１】図１は、一般的な従来の電話機を示す図である。
【図２】図２は、一般的な従来の無線電話機を示す図である。
【図３】図３は、本考案に係る第１の実施形態の外観を示す参考図である。
【図４】図４は、本考案に係る第２の実施形態の外観を示す参考図である。
【図５】図５は、本考案に係る第３の実施形態の外観を示す参考図である。
【符号の説明】
【００２９】
５、４、４’      コードレスイヤホン
５０、４０、４０’      信号転送端
５２、４２、４２’      吸着可能部材
９、３２、３２’      受話器
９０、３２０、３２０’      イヤホン収容槽
３０      イヤホン収容槽
９０２、３２０２、３２０２’      接続端
９０４、３２０４、３２０４’      磁気素子
９２      信号転送端
９４、３２４、３２４’      係止手段
１０、３、３’      スタンド
３４      通信接続線
１０２      受話器収容槽
１０４      接続端
７      公衆交換電話網（ＰＳＴＮ）
【図１】
0003135610.tif 000003
【図２】
0003135610.tif 000004
【図３】
0003135610.tif 000005
【図４】
0003135610.tif 000006
【図５】
0003135610.tif 000007